(57)【要約】【課題】どの産業用機械のデータをどのデータ収集装置に収集しているかのデータ収集状況の確認を直感的に簡易に行う産業用機械のデータ収集確認装置を提供する。【解決手段】産業用機械のデータ収集確認装置は、データ収集装置を示すオブジェクトと産業用機械を示すオブジェクトとを表示する表示部と、データ収集装置と産業用機械とのデータ収集の相関情報を取得する相関情報取得部と、表示部に表示されたデータ収集装置又は産業用機械を示すオブジェクトに対する操作者の操作を判断して、操作者によって選択されたデータ収集装置又は産業用機械を特定する操作判断部と、相関情報取得部によって取得された相関情報に基づいて、操作判断部によって特定されたデータ収集装置又は産業用機械と、相関関係にある産業用機械又はデータ収集装置との相関を示すオブジェクトを、表示部に表示させる表示制御部と、を備える。【選択図】図８
2020197836.tif 000002
【特許請求の範囲】
【請求項１】
産業用機械のデータをデータ収集装置に収集しているときのデータ収集状況の確認を行うデータ収集確認装置であって、
前記データ収集装置を示すオブジェクトと前記産業用機械を示すオブジェクトとを表示する表示部と、
前記データ収集装置と前記産業用機械とのデータ収集の相関情報を取得する相関情報取得部と、
前記表示部に表示された前記データ収集装置又は前記産業用機械を示すオブジェクトに対する操作者の操作を判断して、操作者によって選択された前記データ収集装置又は前記産業用機械を特定する操作判断部と、
前記相関情報取得部によって取得された相関情報に基づいて、前記操作判断部によって特定されたデータ収集装置又は産業用機械と、相関関係にある産業用機械又はデータ収集装置との相関を示すオブジェクトを、前記表示部に表示させる表示制御部と、
を備える、産業用機械のデータ収集確認装置。
【請求項２】
産業用機械のデータをデータ収集装置に収集しているときのデータ収集状況の確認を行うデータ収集確認装置であって、
現実に仮想を重ねた拡張現実を表示する表示部であって、前記データ収集装置及び前記産業用機械のうち一方を示すオブジェクトを表示すると共に、現実の前記データ収集装置及び前記産業用機械のうち他方を表示する表示部と、
前記データ収集装置と前記産業用機械とのデータ収集の相関情報を取得する相関情報取得部と、
前記表示部に表示された前記データ収集装置又は前記産業用機械を示すオブジェクトに対する操作者の操作を判断して、操作者によって選択された前記データ収集装置又は前記産業用機械を特定する操作判断部と、
前記相関情報取得部によって取得された相関情報に基づいて、前記操作判断部によって特定されたデータ収集装置又は産業用機械と、相関関係にある産業用機械又はデータ収集装置との相関を示すオブジェクトを、前記表示部に表示させる表示制御部と、
を備える、産業用機械のデータ収集確認装置。
【請求項３】
前記相関情報取得部によって取得される相関情報は、データ収集量を含み、
前記表示制御部は、前記データ収集量に応じて区別可能に前記相関を示すオブジェクトを、前記表示部に表示させる、
請求項１又は２に記載の産業用機械のデータ収集確認装置。
【請求項４】
前記相関を示すオブジェクトは相関線であり、
前記相関線は、前記産業用機械のデータごとに分岐する、
請求項１〜３のいずれか１項に記載の産業用機械のデータ収集確認装置。
【請求項５】
前記表示制御部は、相関関係にある現実の産業用機械又はデータ収集装置が前記表示部の表示領域外にある場合、相関関係にある現実の産業用機械又はデータ収集装置がある方向を示すオブジェクトを前記表示部に表示させる、請求項２に記載の産業用機械のデータ収集確認装置。
【請求項６】
前記表示制御部は、前記操作判断部によって特定されたデータ収集装置又は産業用機械と、相関関係にある産業用機械又はデータ収集装置との相関を示すオブジェクトのみを、前記表示部に表示させる、請求項１に記載の産業用機械のデータ収集確認装置。
【請求項７】
前記表示制御部は、前記操作判断部によって特定されたデータ収集装置又は産業用機械においてデータ収集されているデータの選択肢を前記表示部に表示させ、操作者によって選択されたデータのデータ収集の相関を示すオブジェクトを前記表示部に表示させる、請求項１〜６のいずれか１項に記載の産業用機械のデータ収集確認装置。
【発明の詳細な説明】
【技術分野】
【０００１】
本発明は、産業用機械のデータ収集確認装置に関する。
【背景技術】
【０００２】
複数の産業用機械の各種データをデータ収集装置に集中的に収集するデータ収集システムが知られている（例えば、特許文献１参照）。
【先行技術文献】
【特許文献】
【０００３】
【特許文献１】特開２０１８−１７３８５８号公報
【発明の概要】
【発明が解決しようとする課題】
【０００４】
このような産業用機械のデータ収集の分野において、どの産業用機械のデータをどのデータ収集装置に収集しているかのデータ収集状況の確認を直感的に簡易に行うことが望まれている。
【課題を解決するための手段】
【０００５】
本開示の産業用機械のデータ収集確認装置は、産業用機械のデータをデータ収集装置に収集しているときのデータ収集状況の確認を行うデータ収集確認装置であって、前記データ収集装置を示すオブジェクトと前記産業用機械を示すオブジェクトとを表示する表示部と、前記データ収集装置と前記産業用機械とのデータ収集の相関情報を取得する相関情報取得部と、前記表示部に表示された前記データ収集装置又は前記産業用機械を示すオブジェクトに対する操作者の操作を判断して、操作者によって選択された前記データ収集装置又は前記産業用機械を特定する操作判断部と、前記相関情報取得部によって取得された相関情報に基づいて、前記操作判断部によって特定されたデータ収集装置又は産業用機械と、相関関係にある産業用機械又はデータ収集装置との相関を示すオブジェクトを、前記表示部に表示させる表示制御部と、を備える。
【０００６】
本開示の他の産業用機械のデータ収集確認装置は、産業用機械のデータをデータ収集装置に収集しているときのデータ収集状況の確認を行うデータ収集確認装置であって、現実に仮想を重ねた拡張現実を表示する表示部であって、前記データ収集装置及び前記産業用機械のうち一方を示すオブジェクトを表示すると共に、現実の前記データ収集装置及び前記産業用機械のうち他方を表示する表示部と、前記データ収集装置と前記産業用機械とのデータ収集の相関情報を取得する相関情報取得部と、前記表示部に表示された前記データ収集装置又は前記産業用機械を示すオブジェクトに対する操作者の操作を判断して、操作者によって選択された前記データ収集装置又は前記産業用機械を特定する操作判断部と、前記相関情報取得部によって取得された相関情報に基づいて、前記操作判断部によって特定されたデータ収集装置又は産業用機械と、相関関係にある産業用機械又はデータ収集装置との相関を示すオブジェクトを、前記表示部に表示させる表示制御部と、を備える。
【発明の効果】
【０００７】
本開示によれば、産業用機械のデータ収集の分野において、どの産業用機械のデータをどのデータ収集装置に収集しているかのデータ収集状況の確認を直感的に簡易に行うことができる。
【図面の簡単な説明】
【０００８】
【図１】第１実施形態に係る工作機械のデータ収集確認装置を含むデータ収集システムの構成を示す図である。
【図２】第１実施形態に係る工作機械のデータ収集確認装置による表示の一例を示す図である。
【図３】第１実施形態に係る工作機械のデータ収集確認装置による表示の一例を示す図である。
【図４】第１実施形態に係る工作機械のデータ収集確認装置による表示の一例を示す図である。
【図５】第１実施形態に係る工作機械のデータ収集確認装置による表示の一例を示す図である。
【図６】第１実施形態に係る工作機械のデータ収集確認装置による表示の一例を示す図である。
【図７】第１実施形態に係る工作機械のデータ収集確認装置によるデータ収集確認動作のフローチャートを示す図である。
【図８】第２実施形態に係る工作機械のデータ収集確認装置を含むデータ収集システムの構成を示す図である。
【図９】第２実施形態に係る工作機械のデータ収集確認装置による表示の一例を示す図である。
【図１０】第２実施形態に係る工作機械のデータ収集確認装置による表示の一例を示す図である。
【図１１】第２実施形態に係る工作機械のデータ収集確認装置による表示の一例を示す図である。
【図１２】第２実施形態に係る工作機械のデータ収集確認装置によるデータ収集確認動作のフローチャートを示す図である。
【発明を実施するための形態】
【０００９】
以下、添付の図面を参照して本発明の実施形態の一例について説明する。なお、各図面において同一又は相当の部分に対しては同一の符号を附すこととする。
【００１０】
（第１実施形態）
図１は、第１実施形態に係る工作機械のデータ収集確認装置を含むデータ収集システムの構成を示す図であり、図２及び図３は、第１実施形態に係る工作機械のデータ収集確認装置による表示の一例を示す図である。図１に示すデータ収集システム１では、複数の工作機械１０（図１では１つのみ示す。）と、複数のデータ収集装置２０（図１では１つのみ示す。）と、データ収集確認装置１００とが、ＬＡＮ、ＷＡＮ等の有線又は無線のネットワーク、又はＢｌｕｅｔｏｏｔｈ、Ｗｉ−Ｆｉ等の近距離通信によって接続される。
【００１１】
工作機械１０は、例えば数値制御により所定の加工を行う機器である。工作機械１０は、情報送信部１１と位置特定部１２とを備える。
【００１２】
情報送信部１１は、工作機械におけるデータ収集可能な各種データをデータ収集装置２０に送信する。データ収集可能なデータとしては、例えば温度センサの温度、振動センサのデータ、主軸回転数、制御軸回転数、工具の寿命、数値制御データ、プログラマブルロジックコントローラの回路情報が挙げられる。
位置特定部１２は、工作機械の位置情報を保持する。
【００１３】
データ収集装置２０は、例えばホストコンピュータである。データ収集装置２０は、工作機械１０のデータを収集する。データ収集装置２０は、情報取得部２１と情報保持部２２とを備える。
【００１４】
情報取得部２１は、工作機械１０からデータを収集する。
情報保持部２２は、情報取得部２１によって取得した工作機械１０のデータを保持する。
【００１５】
データ収集確認装置１００は、どの工作機械１０のデータをどのデータ収集装置２０に収集しているかのデータ収集状況の確認を行う。データ収集確認装置１００は、例えばスマートフォン、タブレット、ＰＣ等の情報処理装置である。データ収集確認装置１００は、情報保持部１１０と、表示操作部１２０と、操作判断部１３１と、通信情報取得部１３２と、情報取得量計算部１３３と、表示制御部１３４と、位置特定部１３５と、位置取得部１３６と、方位測定部１３７とを備える。
【００１６】
データ収集確認装置１００（情報保持部１１０及び表示操作部１２０を除く）は、例えば、ＤＳＰ（Digital Signal Processor）、ＦＰＧＡ（Field‐Programmable Gate Array）等の演算プロセッサで構成される。データ収集確認装置１００（情報保持部１１０及び表示操作部１２０を除く）の各種機能は、例えば記憶部に格納された所定のソフトウェア（プログラム、アプリケーション）を実行することで実現される。データ収集確認装置１００（情報保持部１１０及び表示操作部１２０を除く）の各種機能は、ハードウェアとソフトウェアとの協働で実現されてもよいし、ハードウェア（電子回路）のみで実現されてもよい。
【００１７】
情報保持部１１０は、例えばＥＥＰＲＯＭ等の書き換え可能なメモリ、又は例えばＨＤＤ（Hard Disk Drive）又はＳＳＤ（Solid State Drive）等の書き換え可能なディスクである。情報保持部１１０は、収集可能データ保持部１１１と、部品位置保持部１１２と、データ−部品間関連情報保持部１１３と、データ収集装置一覧保持部１１４と、工作機械一覧保持部１１５とを含む。
【００１８】
収集可能データ保持部１１１は、データ収集可能なデータを、工作機械ごとに保持する。データ収集可能なデータとしては、例えば温度センサの温度、振動センサのデータ、主軸回転数、制御軸回転数、工具の寿命、数値制御データ、プログラマブルロジックコントローラの回路情報が挙げられる。
【００１９】
部品位置保持部１１２は、データ収集可能なデータに対応する部品の位置を、工作機械ごとに保持する。データ収集可能なデータに対応する部品としては、例えば温度センサ、振動センサ、各種モータ、工具、クーラントの格納部、IO機器が挙げられる。
【００２０】
データ−部品間関連情報保持部１１３は、収集可能データ保持部１１１によって保持されたデータと、部品位置保持部１１２によって保持されたデータ収集可能なデータに対応する部品の位置とが関連付けされたデータ−部品間関連情報を、工作機械ごとに保持する。
【００２１】
データ収集装置一覧保持部１１４は、ネットワークに接続されるデータ収集装置の一覧を保持する。データ収集装置の一覧は、ネットワーク識別情報、例えばＩＰアドレスを含む。
【００２２】
工作機械一覧保持部１１５は、ネットワークに接続される工作機械の一覧を保持する。工作機械の一覧は、ネットワーク識別情報、例えばＩＰアドレスを含む。
【００２３】
表示操作部１２０は、液晶ディスプレイ等の表示機器を含み、ＡＲ表示領域１２１と表示領域１２２とを有する。表示領域１２２は、データ収集装置及び工作機械のうち一方を示すオブジェクトを表示する。ＡＲ表示領域１２１は、現実に仮想を重ねた拡張現実（Augmented Reality：ＡＲ）を表示する領域であり、カメラ等の撮像機器により映された現実のデータ収集装置及び工作機械のうち他方に仮想オブジェクトを重ねて表示する。
【００２４】
また、表示操作部１２０は、タッチパネル等の操作機器を含み、操作者による操作を検出する。
【００２５】
操作判断部１３１は、表示操作部１２０の表示領域１２２に表示されたデータ収集装置又は工作機械を示すオブジェクトに対する操作者の操作を判断して、操作者によって選択されたデータ収集装置又は工作機械を特定する。
【００２６】
通信情報取得部１３２は、データ収集装置と工作機械との通信状況を取得する。例えば、通信情報取得部１３２は、データ収集装置２０と工作機械１０との通信を不規則（不定期、Promiscuous）に監視して取得してもよいし、データ収集装置２０（例えば、情報保持部２２）に保持された通信情報から取得してもよい。
【００２７】
このようにして、通信情報取得部１３２は、相関情報取得部として機能し、工作機械１０の各種データをデータ収集装置２０に収集しているときのデータ収集状況、すなわちデータ収集装置と工作機械とのデータ収集の相関情報を取得する。なお、通信情報取得部１３２は、全てのデータ収集装置と工作機械とのデータ収集の相関情報を取得してもよいし、操作判断部１３１によって特定されたデータ収集装置又は工作機械のデータ収集の相関情報を取得してもよい。
【００２８】
情報取得量計算部１３３は、通信情報取得部１３２によって取得された通信状況から、各データ収集装置について各工作機械からの情報取得量を計算する。データ収集装置で取得可能なデータは、一つの情報に対してある程度のデータ長に決まっている。通信情報取得部１３２によって相互の通信情報（例えばDuplexと速度）を取得し、情報取得量計算部１３３は、データ収集装置のＣＰＵ速度を加味して、時間当たり通信量の上限を計算する。情報取得量計算部１３３は、その上限に対して、単一の工作機械に何％リソースを使っているかを計算し、情報取得量とする。
【００２９】
このようにして、情報取得量計算部１３３は、相関情報取得部として機能し、各データ収集装置について各工作機械からのデータ収集量を計算する。なお、情報取得量計算部１３３は、各工作機械におけるデータごとにデータ収集量を計算してもよい。
【００３０】
表示制御部１３４は、通信情報取得部１３２によって取得された通信情報（相関情報）に基づいて、データ収集装置又は産業用機械と、相関関係にある産業用機械又はデータ収集装置との相関を示すオブジェクトを、ＡＲ表示領域１２１に表示させる。また、表示制御部１３４は、情報取得量計算部１３３によって計算されたデータ通信量（データ収集量）に応じて区別可能に、データ収集の相関を示すオブジェクトをＡＲ表示領域１２１に表示させる。
【００３１】
位置特定部１３５は、例えば工作機械に設けられたＲＦＩＤ又はビーコンの電波強度測位によって、ＡＲ表示領域１２１に表示された現実の工作機械又はデータ収集装置の位置を特定する。
【００３２】
位置取得部１３６は、通信情報取得部１３２によって取得された工作機械１０（例えば位置特定部１２）から、工作機械の位置情報を取得する。
【００３３】
方位測定部１３７は、データ収集確認装置１００自身の方位を測定する。
【００３４】
次に、図７を用いて、第１実施形態に係る工作機械のデータ収集確認装置によるデータ収集確認動作について説明する。図７は、第１実施形態に係る工作機械のデータ収集確認装置によるデータ収集確認動作のフローチャートである。
【００３５】
まず、表示操作部１２０は、データ収集装置一覧保持部１１４に保持されたデータ収集装置一覧に基づいて、ネットワークに接続されている全てのデータ収集装置のオブジェクトを表示領域１２２に表示する（図２参照）（Ｓ１０１）。或いは、表示操作部１２０は、工作機械一覧保持部１１５に保持されたデータ収集装置一覧に基づいて、ネットワークに接続されている全ての工作機械のオブジェクトを表示領域１２２に表示する（図３参照）（Ｓ１０１）。以下では、図２の例について説明するが、図３の例については括弧内に説明する。
【００３６】
次に、操作判断部１３１は、表示領域１２２に表示されたデータ収集装置（又は工作機械：図３）のオブジェクトに対する操作者の操作を判断する（Ｓ１０２）。操作者の操作がない場合、ステップＳ１０２に戻る。
【００３７】
一方、例えば、操作者が、表示領域１２２に表示された所望のデータ収集装置（又は所望の工作機械：図３）をタップする操作を行う。すると、操作判断部１３１は、操作者によって選択されたデータ収集装置（又は工作機械：図３）を特定する（Ｓ１０３）。
【００３８】
次に、通信情報取得部１３２は、操作判断部１３１によって特定されたデータ収集装置２０（又は工作機械１０：図３）から、データ収集している工作機械（又はデータ収集装置：図３）及びデータ量等の通信情報（データ収集の相関情報）を取得する（Ｓ１０４）。取得する工作機械（又はデータ収集装置：図３）の識別情報としては、ネットワーク識別情報、例えばＩＰアドレスが挙げられる。
【００３９】
次に、位置取得部１３６は、通信情報取得部１３２によって取得された工作機械１０（例えば位置特定部１２）（又はデータ収集装置：図３）から、工作機械の位置情報を取得する（Ｓ１０５）。
【００４０】
また、情報取得量計算部１３３は、通信情報取得部１３２によって取得されたデータ量に基づいて、特定されたデータ収集装置と各工作機械とのデータ通信量（データ収集量）（又は特定された工作機械と各データ収集装置のデータ通信量：図３）を計算する（Ｓ１０６）。
【００４１】
ここで、操作者が、カメラ等の撮像機器により表示操作部１２０のＡＲ表示領域１２１に１又は複数の工作機械（又はデータ収集装置：図３）を映す。すると、位置特定部１３５は、例えば工作機械（又はデータ収集装置：図３）に設けられたＲＦＩＤ又はビーコンの電波強度測位によって、ＡＲ表示領域１２１に表示された現実の工作機械（又はデータ収集装置：図３）の位置を特定する（Ｓ１０７）。
【００４２】
また、方位測定部１３７は、データ収集確認装置１００自身の方位を測定する（Ｓ１０８）。
【００４３】
次に、方位測定部１３７は、特定した方位と、位置特定部１３５によって特定されたＡＲ表示領域１２１に表示された現実の工作機械（又はデータ収集装置：図３）の位置と、位置取得部１３６によって取得された対象の工作機械（又はデータ収集装置：図３）の位置とに基づいて、対象の工作機械（又はデータ収集装置：図３）がＡＲ表示領域１２１の中心から所定の方位内（例えば、±１５度以内）にあるか否かを判断する（Ｓ１０９）。
【００４４】
対象の工作機械（又はデータ収集装置：図３）がＡＲ表示領域１２１の中心から所定の方位内にある場合、対象の工作機械（又はデータ収集装置：図３）はＡＲ表示領域１２１に映っている。この場合、表示制御部１３４は、通信情報取得部１３２によって取得された通信情報（データ収集の相関情報）に基づいて、データ収集装置２０と各工作機械１０とのデータ収集の相関を示すオブジェクト（例えば、相関線）（又は工作機械１０と各データ収集装置２０とのデータ収集の相関を示すオブジェクト：図３）をＡＲ表示領域１２１に表示させる。このとき、表示制御部１３４は、情報取得量計算部１３３によって計算されたデータ通信量（データ収集量）に応じて区別可能に（例えば、異なる色で）、データ収集の相関を示すオブジェクトを表示させる（図２参照）（Ｓ１１０）。
【００４５】
図２及び図３の例では、データ収集量が多い場合には赤色の相関線（実線）が表示され、データ収集量が少ない場合には緑色の相関線（点線）が表示されている。なお、データ収集装置又は工作機械を画面上の中央に置き、全方向へ相関線を表示してもよい。
【００４６】
一方、対象の工作機械（又はデータ収集装置：図３）がＡＲ表示領域１２１の中心から所定の方位内にない場合、対象の工作機械（又はデータ収集装置：図３）はＡＲ表示領域１２１に映っていない。この場合、表示制御部１３４は、対象の工作機械（又はデータ収集装置：図３）がある方向を示すオブジェクトをＡＲ表示領域１２１に表示させてもよい（Ｓ１１１）。これにより、操作者は対象の工作機械（又はデータ収集装置：図３）がＡＲ表示領域１２１に映るように修正することができる。
【００４７】
例えば、図５に示すように、表示領域の下部（大体地面から100cm付近）から、工作機械へ伸びていくような相関線が表示されてもよいし、工作機械への距離に応じて奥行きが決められた相関線であってもよい。或いは、表示領域が工作機械へ向いた時のみ相関線が表示されもよいし、もしくは工作機械方面に向くまで矢印が表示されてもよい。或いは、工作機械の仮想オブジェクトの３０％が表示される方向のときのみ相関線が表示されもよいし、もしくはデータ収集装置を中心付近に添え、工作機械がある方向に伸びる相関線が表示されてもよい。
【００４８】
また、図２の例において、表示領域１２２に表示されたデータ収集装置のオブジェクトに代えて、ＡＲ表示領域１２１に表示された現実の工作機械がタップされた場合に、データ収集の相関を示すオブジェクトが表示されてもよい。同様に、図３の例において、表示領域１２２に表示された工作機械のオブジェクトに代えて、ＡＲ表示領域１２１に表示された現実のデータ収集装置がタップされた場合に、データ収集の相関を示すオブジェクトが表示されてもよい。
【００４９】
また、図４に示すように、表示制御部１３４は、ＡＲ表示領域１２１に表示された工作機械におけるデータ収集可能なデータに関する仮想オブジェクトを、ＡＲ表示領域１２１に、例えばデータ収集可能なデータに対応する部品の位置に、表示させてもよい。また、表示制御部１３４は、データ収集可能なデータに対応する部品に関する仮想オブジェクトを、ＡＲ表示領域１２１に表示させてもよい。
【００５０】
この場合、表示制御部１３４は、工作機械のデータ又は部品ごとに、相関線を分岐させてもよい。図４の例では、データ収集装置から工作機械の特定部までデータ収集量に応じて太い線が延び、分岐点からデータ又は部品までデータ収集量に応じて細い線が延びている。
【００５１】
また、図６に示すように、表示制御部１３４は、ＡＲ表示領域１２１に、データ収集しているデータの選択肢を表示させてもよい。この場合、表示制御部１３４は、操作者によって選択されたデータのデータ収集の相関に関するオブジェクトをＡＲ表示領域１２１に表示してもよい。
【００５２】
以上説明したように、第１実施形態の工作機械のデータ収集確認装置１００によれば、
・データ収集装置と産業用機械とのデータ収集の相関情報を取得し、
・表示部に表示されたデータ収集装置（又は産業用機械）を示すオブジェクトに対する操作者の操作を判断して、操作者によって選択されたデータ収集装置（又は産業用機械）を特定し、
・取得された相関情報に基づいて、特定されたデータ収集装置（又は産業用機械）と、相関関係にある産業用機械（又はデータ収集装置）との相関を示すオブジェクトを表示する。
これにより、例えば、操作者は、
・表示部に表示された所望のデータ収集装置（又は産業用機械）を選択するような直感的かつ簡易な操作を行うだけで、どの工作機械のデータがどのデータ収集装置に収集されているのかのデータ収集状況を確認することができる。
【００５３】
ここで、データ収集装置には収集出来る情報量に限りがある。第１実施形態の工作機械のデータ収集確認装置１００によれば、操作者は、データ収集装置の空き容量を確認することができる。
【００５４】
また、例えば、寿命に関するデータの収集の目的であれば、工具の使用回転数及び環境温度等の使用環境に関するデータを同一のデータ収集装置に収集することが好ましい。第１実施形態の工作機械のデータ収集確認装置１００によれば、操作者は、まとめたいデータを特定のデータ収集装置へ集約できているかを確認することができる。
【００５５】
また、第１実施形態の工作機械のデータ収集確認装置１００によれば、ノイズ等の観点から、特定の工作機械とデータ収集装置間でデータ収集を行わせたかったのに、間違えて違うデータ収集装置を指定していた等のインシデント防止に役立てることができる。
【００５６】
（第２実施形態）
第１実施形態では、データ収集確認装置はＡＲ機能を有していたが、第２実施形態では、データ収集確認装置はＡＲ機能を有していない。
【００５７】
図８は、第２実施形態に係る工作機械のデータ収集確認装置を含むデータ収集システムの構成を示す図であり、図９及び図１０は、第２実施形態に係る工作機械のデータ収集確認装置による表示の一例を示す図である。図８に示すデータ収集確認装置１００は、図１に示すデータ収集確認装置１００と比較して、表示操作部１２０が異なり、位置特定部１３５、位置取得部１３６及び方位測定部１３７を備えない点で異なる。
【００５８】
表示操作部１２０は、例えばＷＥＢ画面を表示する表示機器を含む。表示操作部１２０は、データ収集装置一覧保持部１１４に保持されたデータ収集装置一覧に基づいて、ネットワークに接続されているデータ収集装置を示すオブジェクトを表示する。また、表示操作部１２０は、工作機械一覧保持部１１５に保持された工作機械一覧に基づいて、ネットワークに接続されている工作機械を示すオブジェクトを表示する。
【００５９】
次に、図１２を用いて、第２実施形態に係る工作機械のデータ収集確認装置によるデータ収集確認動作について説明する。図１２は、第２実施形態に係る工作機械のデータ収集確認装置によるデータ収集確認動作のフローチャートである。
【００６０】
まず、表示操作部１２０は、データ収集装置一覧保持部１１４に保持されたデータ収集装置一覧に基づいて、ネットワークに接続されている全てのデータ収集装置のオブジェクトを表示する。また、表示操作部１２０は、工作機械一覧保持部１１５に保持された工作機械一覧に基づいて、ネットワークに接続されている全ての工作機械のオブジェクトを表示する（Ｓ２０１）。
【００６１】
次に、通信情報取得部１３２は、全てのデータ収集装置２０から、データ収集している工作機械及びデータ量等の通信情報（データ収集の相関情報）を取得する（Ｓ２０２）。
【００６２】
次に、情報取得量計算部１３３は、通信情報取得部１３２によって取得されたデータ量に基づいて、各データ収集装置２０と各工作機械１０とのデータ通信量（データ収集量）を計算する（Ｓ２０３）。
【００６３】
次に、表示制御部１３４は、通信情報取得部１３２によって取得された通信情報（データ収集の相関情報）に基づいて、各データ収集装置２０と各工作機械１０とのデータ収集の相関を示すオブジェクト（例えば、相関線）を表示操作部１２０に表示させる。このとき、表示制御部１３４は、情報取得量計算部１３３によって計算されたデータ通信量（データ収集量）に応じて区別可能に（例えば、異なる色で）、データ収集の相関を示すオブジェクトを表示させる（図２参照）（Ｓ２０４）。
【００６４】
次に、操作判断部１３１は、表示操作部１２０に表示された所望の工作機械（又は所望のデータ収集装置）のオブジェクトに対する操作者の操作を判断する（Ｓ２０５）。操作者の操作がない場合、ステップＳ２０５に戻る。
【００６５】
一方、例えば、操作者が、表示操作部１２０に表示された所望の工作機械（又は所望のデータ収集装置）のオブジェクトをタップする操作を行う。すると、操作判断部１３１は、操作者によって選択された工作機械（又は所望のデータ収集装置）を特定する（Ｓ２０６）。
【００６６】
このとき、表示操作部１２０は、特定された工作機械（又は所望のデータ収集装置）のデータ収集の相関に関するオブジェクト（相関線）、及びその工作機械及びデータ収集装置のみに絞って表示してもよい（図１１参照）。これによれば、特定された工作機械（又は所望のデータ収集装置）のデータ収集の相関を操作者によって直感的に認識しやすくすることができる。
【００６７】
次に、表示制御部１３４は、収集可能データ保持部１１１に保持されたデータ収集可能なデータ、部品位置保持部１１２に保持されたデータ収集可能なデータに対応する部品の位置、及びデータ―部品間関連情報保持部１１３に保持されたデータ―部品間関連情報に基づいて、特定された工作機械におけるデータ収集可能なデータに関する仮想オブジェクト、又はデータ収集可能なデータに対応する部品に関する仮想オブジェクトを、表示操作部１２０に表示させる（図１０参照）（Ｓ２０７）。
【００６８】
次に、操作判断部１３１は、表示操作部１２０に表示された所望のデータ又は部品のオブジェクトに対する操作者の操作を判断する（Ｓ２０８）。操作者の操作がない場合、ステップＳ２０８に戻る。
【００６９】
一方、例えば、操作者が、表示操作部１２０に表示された所望のデータ又は部品に関する仮想オブジェクトをタップする操作を行う。すると、操作判断部１３１は、操作者によって選択された工作機械のデータを特定する（Ｓ２０９）。
【００７０】
このとき、表示操作部１２０は、特定された工作機械（又は所望のデータ収集装置）のデータ収集の相関に関するオブジェクト（相関線）、及びその工作機械及びデータ収集装置のみに絞って表示してもよい（図１１参照）（Ｓ２１０）。これによれば、特定された工作機械（又は所望のデータ収集装置）のデータ収集の相関を操作者によって直感的に認識しやすくすることができる。
【００７１】
以上説明したように、第２実施形態の工作機械のデータ収集確認装置１００でも、第１実施形態の工作機械のデータ収集確認装置１００と同様の利点を得ることができる。
【００７２】
以上、本発明の実施形態について説明したが、本発明は上述した実施形態に限定されることなく、種々の変更及び変形が可能である。例えば、上述した実施形態では、工作機械のデータをデータ収集装置に収集しているときのデータ収集状況の確認を行うデータ収集確認装置を例示したが、本実施形態はこれに限定されない。本実施形態のデータ収集確認装置は、種々の産業用機械のデータをデータ収集装置に収集しているときのデータ収集状況の確認を行う種々の装置に適用可能である。
【符号の説明】
【００７３】
１  データ収集システム
１０  工作機械
１１  情報送信部
１２  位置特定部
２０  データ収集装置
２１  情報取得部
２２  情報保持部
１００  データ収集確認装置
１１０  情報保持部
１１１  収集可能データ保持部
１１２  部品位置保持部
１１３  データ−部品間関連情報保持部
１１４  データ収集装置一覧保持部
１１５  工作機械一覧保持部
１２０  表示操作部
１２１  ＡＲ表示領域
１２２  表示領域
１３１  操作判断部
１３２  通信情報取得部
１３３  情報取得量計算部
１３４  表示制御部
１３５  位置特定部
１３６  位置取得部
１３７  方位測定部
【図１】
2020197836.tif 000003
【図２】
2020197836.tif 000004
【図３】
2020197836.tif 000005
【図４】
2020197836.tif 000006
【図５】
2020197836.tif 000007
【図６】
2020197836.tif 000008
【図７】
2020197836.tif 000009
【図８】
2020197836.tif 000010
【図９】
2020197836.tif 000011
【図１０】
2020197836.tif 000012
【図１１】
2020197836.tif 000013
【図１２】
2020197836.tif 000014